(57)【要約】  空気調和機（２００）と、通信端末（３００）と、空気調和機（２００）に関する過去のデータに基づいて、将来の電気料金および消費電力の少なくともいずれかのグラフを通信端末（３００）に表示させるためのサーバ（１００）とを備える、ネットワークシステム（１）が提供される。
2019167306.tif 000002
【特許請求の範囲】
【請求項１】
空気調和機と、
通信端末と、
前記空気調和機に関する過去のデータに基づいて、将来の電気料金および消費電力の少なくともいずれかのグラフを前記通信端末に表示させるためのサーバとを備える、ネットワークシステム。
【請求項２】
前記サーバは、将来の天気予報および将来の気温の少なくともいずれかにも基づいて、前記将来の電気料金および消費電力の少なくともいずれかを計算する、請求項１に記載のネットワークシステム。
【請求項３】
前記サーバは、前記過去のデータとして、過去の外気温と過去の電気料金と過去の消費電力の少なくともいずれかに基づいて、前記将来の電気料金および消費電力の少なくともいずれかを計算する、請求項１または２に記載のネットワークシステム。
【請求項４】
前記サーバは、前記通信端末に節電のアドバイスを出力させる、請求項１から３のいずれか１項に記載のネットワークシステム。
【請求項５】
前記サーバは、前記空気調和機に対する操作に基づいて前記アドバイスを前記通信端末に提供する、請求項４に記載のネットワークシステム。
【請求項６】
前記サーバは、電気料金の単価に基づいて前記アドバイスを前記通信端末に提供する、請求項４に記載のネットワークシステム。
【請求項７】
空気調和機および通信端末と通信するための通信インターフェイスと、
前記空気調和機に関する過去のデータに基づいて、将来の電気料金および消費電力の少なくともいずれかを計算し、前記通信インターフェイスを介して、前記将来の電気料金および消費電力の少なくともいずれかのグラフを前記通信端末に表示させるためのプロセッサと、を備えるサーバ。
【発明の詳細な説明】
【技術分野】
【０００１】
本発明は、空気調和機の技術に関する。
【背景技術】
【０００２】
家庭やオフィスなどに設置される空気調和機に関する電気料金や消費電力などに対する関心が高い。たとえば、特開２０１４−２３１９６５号公報（特許文献１）には空調制御システムおよび空調制御プログラムが開示されている。特許文献１によると、端末装置の表示画面に、１週間のそれぞれの日ごとに、天気予報の気象情報を表示する気象情報表示部と、空気調和機の運転情報を表示する運転情報表示部と、予測電気代を表示する予測電気代表示部とが表示される。そして、ユーザによって、運転情報が変更された場合には、その変更された運転情報に基づいて、予測電気代表示部に表示される予測電気代が変更される。【０００３】
たとえば、特開２００７−２７８６９６号公報（特許文献２）には空気調和機が開示されている。特許文献２によると、空気調和機本体とリモコンとにそれぞれ双方向通信手段を設け、空気調和機本体には消費電力又は電気料金を計測する計測手段を設け、前記リモコンに空気調和機の運転を停止させる停止ボタンと表示器とを設け、この停止ボタンによって空気調和機の運転が停止された場合、前記空気調和機本体から前記リモコンにデータが送信され、前記リモコンは、その運転開始から運転停止までの消費電力又は電気料金を前記表示器に表示するようにした。
【先行技術文献】
【特許文献】
【０００４】
【特許文献１】特開２０１４−２３１９６５号公報
【特許文献２】特開２００７−２７８６９６号公報
【発明の概要】
【発明が解決しようとする課題】
【０００５】
本発明の一態様の目的は、空気調和機に関する電気料金や消費電力をユーザが把握しやすいネットワークシステムおよびサーバを提供することにある。
【課題を解決するための手段】
【０００６】
本発明の一態様においては、空気調和機と、通信端末と、空気調和機に関する過去のデータに基づいて、将来の電気料金および消費電力の少なくともいずれかのグラフを通信端末に表示させるためのサーバとを備える、ネットワークシステムが提供される。
【発明の効果】
【０００７】
本発明の一態様によれば、空気調和機に関する電気料金や消費電力をユーザが把握しやすいネットワークシステムおよびサーバが提供される。
【図面の簡単な説明】
【０００８】
【図１】第１の実施の形態にかかるネットワークシステム１の全体構成を示すイメージ図である。
【図２】第１の実施の形態にかかる通信端末３００の画面を示すイメージ図である。
【図３】第１の実施の形態にかかるサーバ１００の構成を示すイメージ図である。
【図４】第１の実施の形態にかかる機器データ１２１のイメージ図である。
【図５】第１の実施の形態にかかるアドバイスデータ１２２のイメージ図である。
【図６】第１の実施の形態にかかる推移データ１２３のイメージ図である。
【図７】第１の実施の形態にかかるサーバ１００の情報処理を示すフローチャートである。
【図８】第１の実施の形態にかかる空気調和機２００の構成を示すブロック図である。
【図９】第１の実施の形態にかかる通信端末３００の構成を示すブロック図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１０】
［第１の実施の形態］
＜ネットワークシステム１の全体構成＞
【００１１】
まず、図１を参照して、本実施の形態にかかるネットワークシステム１の全体構成について説明する。本実施の形態にかかるネットワークシステム１は、主に、家電制御用のアプリケーションのためのサーバ１００と、インターネットやルータなどを介してサーバ１００と各種データをやり取りする空気調和機２００と、サーバ１００と各種データをやり取りするスマートフォンなどの通信端末３００とを含む。
【００１２】
なお、空気調和機２００は、冷暖房機能を有するエアコンであってもよいし、空気清浄機能を有する空気清浄機や、加湿機能を有する加湿器や、その他の扇風機などであってもよい。また、通信端末３００は、スマートフォンに限らず、タブレットや、ロボットや、スピーカや、ゲーム機や、ウェアラブル端末や、パーソナルコンピュータや、空気調和機のリモコンや、その他の通信装置であってもよい。
＜ネットワークシステム１の動作概要＞
【００１３】
本実施の形態にかかるネットワークシステム１においては、サーバ１００が空気調和機２００の運転状態や消費電力を取得して、空気調和機２００のユーザの通信端末３００に電気料金の推移に関する情報を提供する。たとえば、本実施の形態にかかる通信端末３００は、アプリケーションプログラムに従って、サーバ１００から取得したデータに基づいて、図２に示すように、空気調和機２００の過去の電気料金の推移と将来の電気料金の推移の予測や、過去の室温の推移や将来の室温の推移の予測や、過去の外気温の推移や将来の外気温の推移の予測や、過去の設定温度の推移や将来の設定温度の推移の予測を出力させる。
【００１４】
これによって、空気調和機２００のユーザは、空気調和機２００に関する将来の電気料金や消費電力などを把握しやすくなる。その結果、ユーザは、将来の電気料金が増えないように今後の運転方法を考え易くなる。以下では、このような機能を実現するための具体的な構成について説明する。
＜サーバ１００の構成＞
【００１５】
図３を参照して、本実施の形態にかかるネットワークシステム１を構成するサーバ１００の構成の一態様について説明する。サーバ１００は、主たる構成要素として、ＣＰＵ１１０と、メモリ１２０と、ディスプレイ１３０と、操作部１４０と、通信インターフェイス１６０とを含む。
【００１６】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１７】
メモリ１２０は、各種のＲＡＭ、各種のＲＯＭなどによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、その他の本実施の形態にかかる予測グラフ提供サービスに利用されるデータベースなどを記憶する。
【００１８】
具体的には、メモリ１２０は、たとえば、図４に示すような機器データ１２１を記憶する。機器データ１２１は、空気調和機毎に、空気調和機２００を特定するための情報と、空気調和機２００のユーザを特定するための情報と、当該ユーザのニックネームと、空気調和機２００に対応付けられる通信端末３００を特定するための情報との対応関係を格納する。
【００１９】
また、メモリ１２０は、図５に示すようなアドバイスデータ１２２も格納する。アドバイスデータ１２２は、アドバイスを出力することが好ましいと判断するための条件に関する情報と、アドバイス自体のデータを含む。なお、アドバイスは、ユーザ操作が所定の条件を満たした場合に出力されるものであってもよいし、将来の電気料金の変化や天気予報や外気温などが所定の条件を満たした場合に出力されるものであってもよいし、それらの両者が所定の条件を満たした場合に出力されるものであってもよい。
【００２０】
また、メモリ１２０は、図６に示すような、空気調和機２００毎の電気料金などの推移データ１２３を格納する。なお、推移データ１２３は、所定の期間前から現在までの空気調和機２００の設定温度や室温や外気温や消費電力や電気料金の単価や電気料金の推移を含む。そして特に、推移データ１２３は、図６に示すように、現在から所定の期間後までの将来の空気調和機２００の設定温度や室温や外気温や消費電力や電気料金の単価や電気料金の推移の予測を含む。
【００２１】
たとえば、本実施の形態にかかるＣＰＵ１１０は、空気調和機２００から取得した過去の設定温度や室温や外気温や消費電力や電気料金の単価や電気料金のデータに基づいて、将来の設定温度や室温や外気温や消費電力や電気料金の単価や電気料金の推移を計算する。より詳細には、ＣＰＵ１１０は、通信インターフェイス１６０を介して、将来の天気予報のデータを取得したり、将来の外気温や湿度などのデータを取得したりする。ＣＰＵ１１０は、過去の設定温度や外気温や消費電力や電気料金の単価や電気料金のデータを、将来の天気予報や外気温や湿度などのデータに基づいて修正することによって、将来の設定温度や外気温や消費電力や電気料金の単価や電気料金の推移を計算する。
【００２２】
図２に戻って、ディスプレイ１３０は、ＣＰＵ１１０からの信号に基づいて、テキストや画像を表示する。操作部１４０は、サービスの管理者などの命令を受け付けて、当該命令をＣＰＵ１１０に入力する。
【００２３】
通信インターフェイス１６０は、ＣＰＵ１１０からのデータを、インターネット、キャリア網、ルータなどを介して、空気調和機２００や通信端末３００などの他の装置に送信する。逆に、通信インターフェイス１６０は、インターネット、キャリア網、ルータなどを介して他の装置からのデータを受信して、ＣＰＵ１１０に受け渡す。
【００２４】
そして、本実施の形態にかかるサーバ１００のＣＰＵ１１０は、通信インターフェイス１６０を介して、通信端末３００や空気調和機２００などからデータを受信すると、以下のような情報処理を実行する。
【００２５】
図７を参照して、ＣＰＵ１１０は、通信端末３００から受信したデータに基づいて、機器データ１２１を参照することによって、通信端末３００のアプリケーションに登録されている空気調和機２００を特定するための情報を特定する（ステップＳ１０２）。ＣＰＵ１１０は、推移データ１２３を参照して、対象となる空気調和機２００の所定期間前から現在までの過去の推移データを取得する（ステップＳ１０４）。
【００２６】
次に、ＣＰＵ１１０は、通信インターフェイス１６０を介して、現在から所定の期間、たとえば１２時間後までの天気予報や外気温などのデータを取得する。ＣＰＵ１１０は、対象となる空気調和機２００に関する過去の各種データに基づいて将来の電気料金や消費電力などの推移を予測する。ＣＰＵ１１０は、過去の推移データと、将来の推移の予測のデータとに基づいて、空気調和機２００の過去の電気料金の推移と過去の室温の推移と過去の外気温の推移と過去の設定温度の推移と将来の電気料金の推移の予測と将来の室温の推移の予測と将来の外気温の推移の予測と将来の設定温度の推移の予測とを示すグラフを作成する（ステップＳ１０６）。
【００２７】
ＣＰＵ１１０は、アドバイスデータ１２２を参照して、対象となる空気調和機２００に関する各種データに基づいて、条件Ｎｏ．１に該当するか否かを判断する（ステップＳ１０８）。条件Ｎｏ．１に該当する場合（ステップＳ１０８にてＹＥＳである場合）、ＣＰＵ１１０は、条件Ｎｏ．１に対するアドバイスと上記のグラフのデータとを、通信インターフェイス１６０を介して通信端末３００に提供する（ステップＳ１２０）。これによって、通信端末３００は、空気調和機２００の過去の電気料金の推移と過去の室温の推移と過去の外気温の推移と過去の設定温度の推移と将来の電気料金の推移の予測と将来の室温の推移の予測と将来の外気温の推移の予測と将来の設定温度の推移の予測とを示すグラフと、空気調和機２００に適したアドバイスとを出力することができる。ＣＰＵ１１０は、通信インターフェイス１６０を介して、通信端末３００や空気調和機２００からの次のデータを待ち受ける。
【００２８】
なお、条件Ｎｏ．１に該当しない場合（ステップＳ１０８にてＮＯである場合）、ＣＰＵ１１０は、対象となる空気調和機２００に関する各種データに基づいて、条件Ｎｏ．２に該当するか否かを判断する（ステップＳ１１０）。条件Ｎｏ．２に該当する場合（ステップＳ１１０にてＹＥＳである場合）、ＣＰＵ１１０は、条件Ｎｏ．２に対するアドバイスと上記のグラフなどを通信インターフェイス１６０を介して通信端末３００に提供する（ステップＳ１２０）。
【００２９】
例えば、図２（Ａ）に示すように、アドバイスがある場合、グラフの対応する部分を指示する「タップ」というメッセージアイコンが表示される。ユーザがこのメッセージアイコンをタップすると、図２（Ｂ）に示すような、グラフの対応する部分を指示するアドバイスが表示される。なお、「タップ」のようなメッセージアイコンを表示するというステップを介さずにアドバイスを表示するようにしてもよい。
【００３０】
アドバイスとしては、たとえば、電気料金の単価などを参考にした電気料金を低減するためのアドバイスや、外気温や室温などを参考にした省エネを推進するためのアドバイスが好ましい。
【００３１】
同様に、条件Ｎｏ．２に該当しない場合（ステップＳ１１０にてＮＯである場合）、ＣＰＵ１１０は、対象となる空気調和機２００に関する各種データに基づいて、条件Ｎｏ．３に該当するか否かを判断する（ステップＳ１１２）。条件Ｎｏ．３に該当する場合（ステップＳ１１２にてＹＥＳである場合）、ＣＰＵ１１０は、条件Ｎｏ．３に対するアドバイスと上記のグラフとを通信インターフェイス１６０を介して通信端末３００に提供する（ステップＳ１２０）。
【００３２】
同様に、条件Ｎｏ．３に該当しない場合（ステップＳ１１２にてＮＯである場合）、ＣＰＵ１１０は、対象となる空気調和機２００に関する各種データに基づいて、条件Ｎｏ．４に該当するか否かを判断する（ステップＳ１１４）。条件Ｎｏ．４に該当する場合（ステップＳ１１４にてＹＥＳである場合）、ＣＰＵ１１０は、条件Ｎｏ．４に対するアドバイスと上記のグラフとを通信インターフェイス１６０を介して通信端末３００に提供する（ステップＳ１２０）。
【００３３】
条件Ｎｏ．４にも該当しない場合（ステップＳ１１４にてＮＯである場合）、ＣＰＵ１１０は、特には、通信端末３００にメッセージアイコンを表示させず、通信インターフェイス１６０を介して上記のグラフを通信端末３００に送信する（ステップＳ１２２）。ＣＰＵ１１０は、通信インターフェイス１６０を介して、通信端末３００や空気調和機２００からの次のデータを待ち受ける。
＜空気調和機２００の構成＞
【００３４】
次に、図８を参照して、ネットワークシステム１を構成する空気調和機２００の構成の一態様について説明する。本実施の形態にかかる空気調和機２００は、主たる構成要素として、ＣＰＵ２１０と、メモリ２２０と、ディスプレイまたはライト２３０、操作部２４０と、時計（タイマ）２５０と、通信インターフェイス２６０と、スピーカ２７０と、赤外線受光部２８０と、機器駆動部２９０とを含む。
【００３５】
ＣＰＵ２１０は、メモリ２２０あるいは外部の記憶媒体に記憶されているプログラムを実行することによって、空気調和機２００の各部を制御する。
【００３６】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、操作部２４０を介して入力されたデータ、リモコンから受信したデータ、ルータやインターネットを介してサーバ１００から受信したデータなどを記憶する。
【００３７】
ディスプレイまたはライト２３０は、ＣＰＵ２１０からの信号に基づいて点灯する。操作部２４０は、ボタンなどによって実現され、ユーザからの命令を受け付けて、当該命令をＣＰＵ２１０に入力する。なお、操作部２４０とディスプレイ２３０とはタッチパネルを構成してもよい。
【００３８】
通信インターフェイス２６０は有線通信あるいは無線通信によって他の装置との間でデータをやり取りする。すなわち、通信インターフェイス２６０は、ＣＰＵ２１０からのデータを受け付けて、当該データをサーバ１００などの他の装置に送信したり、逆に、通信インターフェイス２６０を制御することによって他の装置から各種のデータを受信してＣＰＵ２１０に入力したりする。たとえば、ＣＰＵ２１０は、定期的に、通信インターフェイス２６０を介して、空気調和機２００の情報、たとえば設定温度や室内温度や消費電力などをサーバ１００にアップロードしたり、通信端末３００のアプリケーションからの制御命令を受信したりする。
【００３９】
スピーカ２７０は、ＣＰＵ１１０からの信号に基づいて、各種音声や音やメロディーを出力する。
【００４０】
赤外線受光部２８０は、リモコンなどからの赤外線信号を検知して、ＣＰＵ２１０に受信信号を入力する。たとえば、ＣＰＵ２１０は、赤外線受光部２８０を介して、リモコンから電源ＯＮ／ＯＦＦ命令、その他の制御命令や各種データなどを受け付ける。
【００４１】
機器駆動部２９０は、ＣＰＵ２１０からの信号に基づいて、電気機器の各部、たとえば圧縮機やファンやその他のモータやヒータなど、を制御する。本実施の形態にかかる空気調和機２００は、機器駆動部２９０によって、冷房機能や暖房機能や送風機能やイオン発生機能などを実現する。
＜通信端末３００の構成＞
【００４２】
図９を参照して、本実施の形態にかかるスマートフォンなどの通信端末３００の構成の一態様について説明する。通信端末３００は、主たる構成要素として、ＣＰＵ３１０と、メモリ３２０と、ディスプレイ３３０と、操作部３４０と、通信インターフェイス３６０と、スピーカ３７０と、マイク３８０などを含む。
【００４３】
ＣＰＵ３１０は、メモリ３２０に記憶されているプログラムを実行することによって、通信端末３００の各部を制御する。
【００４４】
メモリ３２０は、各種のＲＡＭや各種のＲＯＭなどによって実現される。メモリ３２０は、ＣＰＵ３１０によって実行されるプログラムたとえば家電制御用のアプリケーションプログラムや、ＣＰＵ３１０によるプログラムの実行により生成されたデータ、入力されたデータ、その他の本実施の形態にかかる予測グラフ提供サービスに利用されるデータベースなどを記憶する。
【００４５】
ディスプレイ３３０は、ＣＰＵ３１０からの信号に基づいて、テキストや画像を表示する。操作部３４０は、ユーザなどの命令を受け付けて、当該命令をＣＰＵ３１０に入力する。たとえば、ＣＰＵ３１０は、空気調和機２００など家電制御用のアプリケーションプログラムに基づいて、ディスプレイ３３０に操作画面を表示して、操作部３４０を介して空気調和機２００の電気料金の予測グラフの表示命令や空気調和機２００に対する遠隔制御命令の入力を受け付ける。なお、ディスプレイ３３０と操作部３４０とはタッチパネルであってもよい。
【００４６】
通信インターフェイス３６０は、ＣＰＵ３１０からのデータを、インターネット、キャリア網、ルータなどを介して、サーバ１００などの他の装置に送信する。逆に、通信インターフェイス３６０は、インターネット、キャリア網、ルータなどを介して当該他の装置からのデータを受信して、ＣＰＵ３１０に受け渡す。
【００４７】
特に本実施の形態においては、ＣＰＵ３１０が、操作部３４０を介してユーザ命令を受け付けることによって、通信インターフェイス３６０を介してサーバ１００に電気料金予測グラフを要求する。サーバ１００から、通信端末３００の制御対象の空気調和機２００に関する各種予測データを受け付けると、ＣＰＵ３１０は、図２に示すように、ディスプレイ３３０に、空気調和機２００の過去の電気料金の推移と将来の電気料金の推移の予測や、過去の室温の推移や将来の電気料金の推移の予測や、過去の外気温の推移や将来の外気温の推移の予測や、過去の設定温度の推移や将来の設定温度の推移の予測に関するグラフを表示したり、節電に役立つアドバイスを表示したり音声出力したりする。
【００４８】
スピーカ３７０は、ＣＰＵ３１０からのデータに基づいて音声を出力し、マイク３８０は音声を受け付けて音声データをＣＰＵ３１０に入力する。
＜第２の実施の形態＞
【００４９】
上記の実施の形態においては、サーバ１００が電気料金の過去や将来の推移のグラフのデータを通信端末３００に提供するものであった。しかしながら、サーバ１００のＣＰＵ１１０は、通信インターフェイス１６０を介して、電気料金の過去や将来の推移の代わりに、あるいは電気料金の過去や将来の推移に合わせて、消費電力の過去や将来の推移のグラフのデータを通信端末３００に提供してもよい。すなわち、通信端末３００のＣＰＵ３１０は、サーバ１００からのデータに応じて、消費電力の過去や将来の推移のグラフをディスプレイ３３０に表示させてもよい。
＜第３の実施の形態＞
【００５０】
上記の実施の形態においては、通信端末３００が電気料金の過去や将来の推移のグラフを表示するものであった。しかしながら、サーバ１００のＣＰＵ１１０は、通信インターフェイス１６０を介して、過去の推移グラフは提供せずに、将来のみの電気料金の推移や消費電力の推移のグラフを通信端末３００に提供してもよい。すなわち、通信端末３００のＣＰＵ３１０は、サーバ１００からのデータに応じて、将来の電気料金の推移や消費電力の推移のグラフをディスプレイ３３０に表示させてもよい。
＜第４の実施の形態＞
【００５１】
上記の実施の形態においては、サーバ１００が推移データ１２３を蓄積し、サーバ１００が電気料金や消費電力などの推移に関するデータを通信端末３００に提供するものであった。しかしながら上記の実施の形態のネットワークシステム１の各装置の役割の一部または全部を他の装置が実行してもよい。たとえば、サーバ１００や空気調和機２００や通信端末３００の各々の役割の一部または全部を別の装置が担ったり、それらの装置の１つ１つの役割の一部または全部を、複数の装置で分担したりしてもよい。
【００５２】
具体的には、サーバ１００の役割は、クラウド上の複数のサーバによって分散して実現されてもよい。
【００５３】
あるいは、上記の実施の形態においては、サーバ１００が、空気調和機２００の過去の電気料金の推移と将来の電気料金の推移の予測のグラフを作成して送信するものであった。しかしながら、サーバ１００が、過去の各種データと将来の各種データとを送信してもよい。そして、通信端末３００のＣＰＵ３１０が、アプリケーションプログラムに基づいて、過去の各種データと将来の各種データとに基づいて、過去の各種データの推移と将来の各種データの推移の予測に関するグラフを作成して表示してもよい。
【００５４】
あるいは、通信端末３００の役割の一部または全部を空気調和機２００が有してもよい。たとえば、サーバ１００が推移データ１２３を蓄積し、サーバ１００が電気料金や消費電力の予測に関するデータを空気調和機２００に提供してもよい。そして、空気調和機２００のＣＰＵ３１０が、電気料金予測サービスのアプリケーションプログラム基づいて電気料金や消費電力の将来の予測に関するグラフや表を作成して、ディスプレイ３３０に表示してもよい。
【００５５】
さらには、サーバ１００の役割の一部または全部を空気調和機２００が有してもよい。たとえば、空気調和機２００が推移データ１２３を蓄積し、空気調和機２００のＣＰＵ２１０が電気料金予測サービスのアプリケーションプログラム基づいて電気料金や消費電力の将来の予測に関するグラフや表を作成して、ディスプレイ３３０に表示してもよい。
＜まとめ＞
【００５６】
上記の実施の形態においては、空気調和機２００と、通信端末３００と、空気調和機２００に関する過去のデータに基づいて、将来の電気料金および消費電力の少なくともいずれかのグラフを通信端末３００に表示させるためのサーバ１００とを備える、ネットワークシステム１が提供される。
【００５７】
好ましくは、サーバ１００は、将来の天気予報および将来の気温の少なくともいずれかにも基づいて、将来の電気料金および消費電力の少なくともいずれかを計算する。
【００５８】
好ましくは、サーバ１００は、過去のデータとして、過去の外気温と過去の電気料金と過去の消費電力の少なくともいずれかに基づいて、将来の電気料金および消費電力の少なくともいずれかを計算する。
【００５９】
好ましくは、サーバ１００は、通信端末３００に電気料金を節約するためのアドバイスを出力させる。
【００６０】
好ましくは、サーバ１００は、通信端末３００に節電のアドバイスを出力させる。
【００６１】
好ましくは、サーバ１００は、空気調和機２００に対する操作に基づいてアドバイスを通信端末３００に提供する
【００６２】
好ましくは、サーバ１００は、電気料金の単価に基づいてアドバイスを通信端末３００に提供する。
【００６３】
上記の実施の形態においては、空気調和機２００および通信端末３００と通信するための通信インターフェイス１６０と、空気調和機２００に関する過去のデータに基づいて、将来の電気料金および消費電力の少なくともいずれかを計算し、通信インターフェイス１６０を介して、未来の電気料金および消費電力の少なくともいずれかのグラフを通信端末３００に表示させるためのプロセッサ１１０と、を備えるサーバ１００が提供される。
【００６４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６５】
１        ：ネットワークシステム
１００    ：サーバ
１１０    ：ＣＰＵ
１２０    ：メモリ
１２１    ：機器データ
１２２    ：アドバイスデータ
１２３    ：推移データ
１３０    ：ディスプレイ
１４０    ：操作部
１６０    ：通信インターフェイス
２００    ：空気調和機
２１０    ：ＣＰＵ
２２０    ：メモリ
２３０    ：ディスプレイ（ライト）
２４０    ：操作部
２６０    ：通信インターフェイス
２７０    ：スピーカ
２８０    ：赤外線受光部
２９０    ：機器駆動部
３００    ：通信端末
３１０    ：ＣＰＵ
３２０    ：メモリ
３３０    ：ディスプレイ
３４０    ：操作部
３６０    ：通信インターフェイス
３７０    ：スピーカ
３８０    ：マイク
【図１】
2019167306.tif 000003
【図２】
2019167306.tif 000004
【図３】
2019167306.tif 000005
【図４】
2019167306.tif 000006
【図５】
2019167306.tif 000007
【図６】
2019167306.tif 000008
【図７】
2019167306.tif 000009
【図８】
2019167306.tif 000010
【図９】
2019167306.tif 000011
【国際調査報告】
2019167306.tif 000012
2019167306.tif 000013
2019167306.tif 000014